(57)【要約】  【課題】  プレー用のパターを使用して、スイートスポットに正確にボールが当たったことが確認が出来、又、打つたボールの転がりの強さが、どの程度なのか。これ等を簡単な構造で、知ることが出来るパット練習具の提供。【解決手段】  パターヘッドに位置するスイートスポットにセンサーを着脱自在に取り付けて、その出力を、コードを介して、パターから離れた位置に取り出して、ゴルフボールが、スイートスポットに正確に当った場合、その出力を、光、擬音、数値等に変換して、表示器、スピーカーによって、プレーヤーに知らせるよう構成したことを特徴としたパット練習具によって解決する。【選択図】  図１
2012055537.tif 000002
【特許請求の範囲】
【請求項１】
パターヘッドに位置するスイートスポットにセンサーを着脱自在に取り付けて、その出力を、コードを介して、パターから離れた位置に取り出して、ゴルフボールが、スイートスポットに正確に当った際、その出力を、光、擬音、数値等に変換して、表示器、スピーカー、ランプ等の報知装置によって、プレーヤーに知らせるよう構成したことを特徴としたパット練習具。
【請求項２】
パターヘッドのスイートスポット、及びスイートスポット付近にセンサーを着脱自在に取り付けて、ゴルフボールがスイートスポット、或いはスイートスポット付近に当った際、その出力をコードを介して、パターから離れた位置に取り出して、その強さの段階を、数値に、或いは光等に変換して、表示器等の報知装置によって、プレーヤーに知らせるよう構成したことを特徴としたパット練習具。
【請求項３】
請求項１及び２記載のセンサーが圧力センサー、圧電センサー、ストレンゲージ、電磁コイル、マグネット等からなることを特徴としたパット練習具。
【発明の詳細な説明】
【技術分野】
【０００１】
本発明は、ゴルフのパターに取り付けることで、パット技術を向上し、練習を効果的にすることができるパット練習具に関するものである。
【背景技術】
【０００２】
近年、ゴルフは大衆化され、ゴルフ練習場も増えて練習には事欠かない、しかし
パターの練習場は少なく、一般のプレーヤーは自宅の絨毯、あるいは、パット練習用の人工芝等を使い練習している。絨毯の上でボールを転がす、勿論そこには，芝芽も無ければ、傾斜も無いボールは真っ直ぐ転がるはずである、ところがそうはいかない、必ずと言って良いほど曲がる、之はなぜだろうか、それはパッテイングという動作が意識では十分左右できるものでなく、単なる条件反射であるからだ。意識で左右できるものなら、特別な練習は必要としない。正しいフォームで打ちさえすれば十分である。
【０００３】
然し条件反射となると大変である、反復練習をしておかないと直にだめになる。そこで、芝芽も傾斜も無いところで、十分に条件反射を強化させ,何時でもボールを真っ直ぐ転がるよう訓練することが大切である。更に、ボールを目標に向けて、真っ直ぐに転がす為の条件が、今一つある、それは、パターにはスイートスポットと言われる点があり、この点でボールを打てば、パターが回転や、曲がり、ぐらつき、を起こさない地点だと言われている。従って、スイートスポットで常にボールを打つ練習を繰り返すことで、筋肉の条件反射を強化して、パットの技術を向上することが出来る。  パットの上手くなる練習方法である。
【０００４】
パット練習具、パター練習器に関する先行技術を調べてみると、其の殆どが、パットの打球姿勢に関するもので、特に多く、レザー発光器を設けた物が提示されているが、高価で、一般的ではない。
（たとえば、特許文献１、特許文献２、参照）
【０００５】
又パターヘッドにガイドバーを取り付けてそれを目視しながらスイングの練習を行うもの、正しいアドレスの姿勢、直線的なスイングターゲットとボールとパターの直線性の維持、等の一連の動作を練習するものである。
（たとえば、特許文献３参照）
【０００６】
上記の通り、先行技術の目的とするところは、ボールがパターヘッドに当った後を追いかけている。それ以前に問題があることは上記の通りだが、この事に  多くのゴルファーは気が付いていない。  ここに問題がひとつあります。パターのスイートスポットにボールが正確に当たったかどうか、目視では、確認することは出来ない。ボールが当たった後、真っ直ぐに転がれば、スイートスポットに当たったものと判断しているのが現状である。
【０００７】
ここで、先行技術として、数件の特許文献がありパターのヘッド、フェース面に、打球位置検知センサーと同センサーからの情報を報知する方法が提示されているが、パット練習マット等で遊び感覚で使用するものであって、本格的なゴルフのパット練習用としては、前記レザー発光器等と同様に、マイコン等を使用し高価な装置を備えて、一般的ではない。（たとえば、特許文献４参照）
【０００８】
それらは、パターそのものに、報知装置、音声発生回路、電池等、を全て取り付けてあり、プレーで使用のパターとは、重量的に差が有って、練習用パターとプレー用のパターの重さが異なることはストロークに微妙なズレを生じ練習の成果が出ない、無論、筋肉の条件反射を強化するための練習用としては適さない。                                        （たとえば、特許文献５参照）
【０００９】
ゴルフボールを、カップインさせるために重要なことは、ボールが、パターヘッドに当たる瞬間をスイートスポットで正確に、確りと当てることである、が今一つある。それは、カップまでボールを届かせると、と言うことである。  打球の強さ、即ち距離感である。  正確に、スイートスポットにボールを当て方向性は確保されても、その強さ、  距離感の違いによって、カップインできない場合も有る。  練習では、距離感も重要で、距離感を強化することは、練習具として重要である。
【００１０】
しかし、打球の強さは、グリーン上と、練習用マット、自宅の絨毯の上とでは、ボールの転がりに差があるため、強さの程度を学習することは、なかなか難しい。
上記、先行文献でも、打球の強さに関する、距離感を強化できる練習具は提示されていない。                
【先行技術文献】
【特許文献】
【００１１】
【特許文献１】特開２００３−３０５１４８号  公報
【特許文献２】登録実用新案公報第３０４２３５６号  公報
【特許文献３】特開２００９−２８４８３号  公報
【特許文献４】特開平０８−１３１５９９号  公報
【特許文献５】公開実用新案公報昭６０−１６８８５８号公報
【発明の概要】
【発明が解決しようとする課題】
【００１２】
上記の通り、パッティングの練習で一番大切なことは、パターのスイートスポット      で、ボールを確りと打つこと、更に、打球の強さの感覚を、即ち、距離感を条件反射    として筋肉に覚えさせそれを強化することが重要である。そのため、プレー用のパ      ターそのものを使用して、スイートスポットに正確にボールが当たったことが確認が出来、又、打つたボールの転がりの強さは、どの程度なのか、これ等を簡単な構造で、知ることが出来るパット練習具の提供を課題とする。
【課題を解決するための手段】
【００１３】
課題を解決するために本発明が採用した第１の課題解決の技術手段は、パターヘッドに位置するスイートスポットにセンサーを着脱自在に取り付けて、その出力を、コードを介して、パターから離れた位置に取り出して、ゴルフボールが、スイートスポットに正確に当った際、その出力を、光、擬音、数値等に変換して、表示器、スピーカー、ランプ等の報知装置によって、プレーヤーに知らせるよう構成したことを特徴としたパット練習具によって解決する。
【００１４】
第２の課題解決の技術手段は、パターヘッドのスイートスポット、及びスイートスポット付近にセンサーを着脱自在に取り付けて、ゴルフボールがスイートスポット、或いはスイートスポット付近に当った際、その出力をコードを介して、パターから離れた位置に取り出して、その強さの段階を、数値に、或いは光等に変換して、表示器等の報知装置によって、プレーヤーに知らせるよう構成したことを特徴としたパット練習具によって解決する。
【００１５】
第３の課題解決技術手段は、上記、請求項１及び２記載のセンサーが圧力センサー、圧電センサー、ストレンゲージ、電磁コイル、マグネット等からなることを特徴としたパット練習具によって解決する。
【発明の効果】
【００１６】
パターヘッドのスイートスポットにボールが正確に当たったことが確認でき、その繰り返しを練習することで、筋肉に条件反射を反復させ強化できる。
ボールを打つた強さの程度を知ることで距離感を、筋肉に覚えさせることが出来る。更に、スイートスポットにボールが正確に当たったことを確認するため、表示器のランプ等を目視することは、ヘッドアップ防止にも繋がる。プレー用のパター自体に着脱自在に取り付けられるので、練習の成果をそのまま、プレーに反映できる。
【図面の簡単な説明】
【００１７】
【図１】本発明のパット練習具の概略構成図
【図２】本発明の実施例のセンサーの取り付け状態図
【図３】本発明の実施例の使用状態図
【発明を実施するための形態】
【００１８】
以下本発明の実施の形態を図１〜図４  に基づいて説明する。
図１は、本発明のパット練習具の概略構成図である。
センサー１、はパターヘッド２に取り付けられている、センサー１、からの出力を取り込むためのコード４は、パターシャフト５に、粘着テープ６、でとめられて、報知装置７、に接続されている。報知装置７、の内部にはスピーカー、表示器、変換器、ランプ等が装備されている。
【００１９】
パットの方向性は、パターヘッドにボールが当った瞬間で殆ど決まる。
スイートスポットに正確にボールが当り、確りとストロークすれば、少なくともラインを保つので、カップインのチャンスは大きい。だが、正確に当っても距離が足りなければ、カップインは無い。距離感を鍛えることが重要である。本発明では打球の強さを、段階的に表示し、条件反射で筋肉にその感覚を覚えさせる様なパット練習具を創案した。
【００２０】
本発明のパット練習具では各種、センサーを利用することでその瞬間を確認できるようにした、即ち、スイートスポットに取り付けられた、センサーにボールが当った瞬間、センサーの出力は、増幅変換されて表示器に転送、光等によってプレーヤーに知らせることが出来る。
【００２１】
パターフェースのスイートスポットは、パターによって夫々異なるが、先端部とヒールの中間の何処かに位置している。パターの重量配分やデザインによって、実際の中心と外れていることがある。従って、プレーで使用のパターに取り付けることが重要である。
【００２２】
センサーの取り付けは、着脱自在で、簡単に取り付け、取り外しが出来るようになっている、薄型のセンサー部分を直接ヘッドに、粘着テープ、両面粘着テープ等を使用して貼り付ける場合と、別途カバー形式としてパターヘッドに装着するよう構成することも出来る。センサー部分のみの取り付けなので、重量的にはパターの重量に大きな変化は無い。
【００２３】
センサーの種類には、圧力センサー、圧電センサー、ストレンゲージ、電磁コイル、マグネット等、有るので、スイートスポットにボールが、正確に当った事を、確認するだけでなくて、衝撃の強さを数値として表して、ボールを打った強さを確認できるように、又、スイートスポットから外れた場合、インサイドに外れたか、アウトサイドに外れたか、等を表示できるよう、これらのセンサーを、単独、或いは、組み合わせて、色々な情報を、プレーヤーに知らせられるように、状況に応じた選択をすればよい。
【００２４】
報知装置は邪魔にならない任意の処に置けばよい。ボールからの距離が出来るだけ短く、近くに置く事が良いのはいうまでも無く、又、打球面の延長正面に置くことで、ヘットアップの防止にも繋がる。
【００２５】
上記、パット練習具によって、練習することで、筋肉の条件反射が強化できる。
プレー当日は、練習グリーンで、使用することで、打球の強さの数値から、芝目の強さ、グリーンの速さも確認でき、練習時の数値との対比で、距離感の参考になる。
プレー時には、センサーを取り外せばよい。
【実施例１】
【００２６】
図２は、本発明のパット練習具のセンサー１、をパターヘッド２、のスイートスポットの地点に、セロテープ（登録商標）３、で取り付けた状態を示している。センサー１、は、圧力センサー、加えられた圧力によって、抵抗値が変化する、その変化を電流に変換して、報知装置によって擬音を発生させ、スイートスポットにボールが正確に当ったことを、プレーヤーに知らせることが出来る。
圧力センサーは、「ＦＳＲ−４００」（登録商標）を使用している。
【実施例２】
【００２７】
図３は、本発明のパット練習具でボールを打った際の強さを、報知装置の表示器に数値で表示している使用状態図である。自宅、絨毯の上での練習時の数値と練習グリーンでの数値を比較することで、当日の本グリーンでのボールを打つ強さに対しても参考になる。
【符号の説明】
【００２８】
１  センサー
２  パターヘッド
３  セロテープ（登録商標）
４  コード
５  シャフト
６  粘着テープ
７  報知装置
【図１】
2012055537.tif 000003
【図２】
2012055537.tif 000004
【図３】
2012055537.tif 000005